【手続補正書】
【提出日】平成14年10月19日(2002.10.19)
【手続補正１】
【補正対象書類名】明細書
【補正対象項目名】全文
【補正方法】変更
【補正の内容】
【発明の名称】反発発電機の出力強化の方法
【特許請求の範囲】
【請求項１】第一領域の磁界中心を第五領域に進めて推進方向を定め維持する、第三領域で第二領域を閉じる構成を基本とする、領域制御で３Ｍｉｃを生じさせる出力強化の方法を特徴とする、反発モータ、若しくは発電モータ、叉は加速発電機、若しくは反発発電機。
【請求項２】モータ機能、若しくは発電機能にスイチＳｉを設けた第二領域を加えて、第三領域に総合磁力の第五領域を構成する、領域制御で３Ｍｉｃを生じさせる出力強化の方法を特徴とする、反発モータ、若しくは発電モータ、叉は加速発電機、若しくは反発発電機。
【請求項３】請求項１、若しくは請求項２に加えて、第二領域の８の字コイルで第六領域を構成する方法。
【請求項４】速度制御装置に圧力センサーを設ける構成で、接蝕しながらの戻し完了と接触継続中を条件として、現時点での速度を基準とする設定速度に自動制御する方法の速度制御装置。
【発明の詳細な説明】
【産業上の利用分野】発電機、モータ、電気自動車。
【従来の技術】モータは電磁力の相対運動作用で動力を出力する、発電機は動力で制動発電の電力を出力する、特許ヌルフラックスの浮上と案内は制動誘起作用と相対運動作用の応用である、動力用電力を多く必要とする。フライフォイル、エネルギー貯蔵装置は慣性動力の制動誘起作用（回生ブレーキ）の回生発電モータである。
【発明が解決しようとする課題】
【０００１】集中巻きコイル（以下、コイル）の誘起磁力は、もとの磁界と相対運動作用を生じる。
【課題を解決する構成と作用】
【０００２】第一領域とする、永久磁石を対面同極に接近させると、磁束は圧縮して法線力から接線力に変化して、対面中心から外周方向に反発浮上推進する相対運動作用の現象を生じる、第二領域とする二つの集中巻きコイル（以下、コイル）の内ひとつを電磁石として、ＡＣ，若しくはパルス励磁をする、もうひとつの閉じたコイルを慣性磁界と対面させ圧縮接近させると、電磁誘導により、コイルに生じる現象の反発浮上と加速誘起作用は永久磁石の反発浮上推進作用に等しい現象を生じる。その対面同極磁束効果（以下、３Ｍｉｃ）は、一次、二次コイルを問わず反発浮上推進作用を生じる、対面中心ＭＣからゼロフラックス（以下、Ｏｘ）へ加速する方向を第五領域とする、領域制御の基本は、第三領域である磁界単極の磁束が及ぶ範囲で第二領域を閉じるが、第一領域である慣性磁界中心を第五領域に進ませ推進方向を定めて第五領域に維持する構成を基本とする、領域制御で推進方向を定めて３Ｍｉｃを生じさせる出力強化の方法を特徴とする反発モータ、若しくは発電モータ，叉は加速発電機、若しくは反発発電機。
【０００３】図１Ａ、第一領域の磁界極１をパルス若しくは交流で励磁した慣性磁界単極１−Ｎの磁力が及ぶ第三領域３Ｍｉｃで、対面する第二領域のコイルＡに生じる誘起磁力は、第五領域である対面中心を境として中心からすぎた方向のＯｘに渡り反発浮上と推進力の加速誘起作用を生じる、さらに後方の同極コイルの反発力と、第六領域の吸引力によりＯｘ指向と案内作用を生じる、その領域制御により、総合磁力の第五領域に磁界中心を進め、方向を維持するようにコイル２を閉じる構成である。磁界極１の慣性運動の推進方向と磁束の相対運動作用と一致する領域である、さらに動力と電力の出力領域でもある。磁束の圧縮による反発浮上推進作用と磁界極１の慣性運動と入力電圧の慣性磁力によりコイル２に生じる加速誘起作用を含めた３Ｍｉｃを生じさせる出力強化の方法を特徴とする反発モータ、若しくは発電モータ、叉は加速発電機，若しくは反発発電機。（以下、今までにない現象により反発モータ、若しくは発電モータと名称する）。
【０００４】さらに推進する慣性磁界１中央のＯｘ点と対面するコイルａは誘起せず、さらに磁界単極中心１−Ｎがコイルａの中心ＭＣに至る、第四領域での接近同極は制動誘起作用によりＯｘ指向の制動回帰作用の案内効果を生じる、領域制御で第四領域のコイルを開く方法の反発モータ、若しくは発電モータ。
【０００５】図１ＣとＤ、リニアの壁面に設けた第二領域の８の字コイル２＝８に生じる偏移角の揚力ベクトル８＝６は、浮上と推進のＯｘ指向を示すが、磁界１の重量により浮上軌道を保つ釣り合いを示す６ＭＡＸ、特徴は、浮上軌道の推進方向に生じる第五領域の加速誘起作用８＝５と第六領域の相対運動作用８＝６の総合推進力である、リニア若しくはフライフォイル効果の発電モータ。
【０００６】図１Ｂ、第五領域の加速誘起作用と第六領域の相対運動作用の方向お示す、加速発電ベクトル。
【実施例】
【０００７】図２ＡとＢ、モータ機能若しくは発電機能にコイル結線にスイチＳｉを設けたコイル若しくは同心にコイルを加える構成、叉は両機能を同一構成とする、コイルの領域制御は、図２Ａ第五領域の整流をスリップリング１０−Ｓｉとスイチリング１０−Ｓｉ若しくはインバータとコンバータで行うことを選択する、インバータ内にコンバータを設けることもできる、そのスター結線では領域制御に中性線が必用である。８の字コイルの領域制御は、コイルの交差結線スイッチＳｉで異極を平行結線スイッチＳｉでは同極を励磁する若しくは単コイルを選択できる（図１ＣとＤ点線丸コイル）。コイルの領域制御を図２Ａスイチリング１０−Ｓｉ若しくはセンサー回路ＸＸとのスイチング素子Ｓｉで行うことを選択する。固定コイル１＆２は一次コイル若しくは二次コイルとして選択する、その理由は動力加速と慣性運動力による誘起磁力の活用を選択し、加速誘起作用によるフライフォイル効果の運動領域と誘起電圧領域でもある、総合磁力の第五領域を構成するトランス効果を含めた領域制御による３Ｍｉｃの出力強化の方法。叉は第四領域の制動発電を出力強化する方法。
【０００８】図２ＡとＢ、モータ領域では、回転する慣性磁界１により、固定コイル磁界１の端子電圧を越えて誘起電圧が生じる結果、端子入力が制限されトルクは低下する、対策としてＡＣ若しくはパルス回路のチョッパー制御とトランス効果で電圧を高めて入力する７−ＰＰ叉はＩＣレギュレイタの一定電圧で入力する、さらに誘起磁力領域の第三領域に接近、若しくは同心の固定一次と二次コイルはトランスの関係にあり固定第二領域の固定磁界１との総合磁界１を構成する。さらに運動領域の慣性磁界１と固定総合磁界１は電気角９０度Ｏｘに至る第５領域の加速誘起作用と第六領域で磁束の相対運動作用を推進方向に一致させる、トランスの領域制御は誘起磁力の領域と運動の領域を制御して３Ｍｉｃを生じさせる、トルク出力を強化する方法であり、浮上し加速するフライフォイル効果、若しくは磁気ベアリング効果の発電モータでもある。
【０００９】図２Ｃ、整流子モータにコイルを加える、電機子開口部１の中心は変動してコイル２Ａを誘起する、その誘起磁力２Ａと固定磁界１との総合磁界１−２Ａの第五領域を構成して出力を強化する方法の反発若しくは発電モータ。
【効果】
【００１０】図２ＡとＢ、第四と第五領域に分割して機能する特徴を活用して、モータ若しくは電気自動車等の速度制御を行う、ペダル等の速度制御装置に圧力センサーを設ける構成で、加減速機動中でのペダルに非接触を条件として速度に応じた制動発電を作動する、ペダルに接触しながらの戻し完了と接触継続中を条件として，現時点での速度を基準とする設定速度に自動制御する方法の速度制御装置、加速制限と上がり坂下り坂の設定速度走行、ペダルのバネ圧軽減効果。
【００１１】第三領域における対面同極の磁束は接線方向に圧縮され反発浮上推進作用を生じる、慣性動力と慣性磁界による加速誘起作用の相対運動作用とは，集合における重なる領域での対面同極磁束効果３Ｍｉｃである。
科学で説明できない現象を公理として、そのひとつである「電磁誘導」を定義する「レンツの法則」に従う反発制動と反発浮上に加えて、公理を定義する内容に加えるに等しい新しい現象であることを提案する、領域制御による反発浮上推進作用と加速誘起作用を活用する出力強化の方法である。
一次エネルギーの８０％を輸入している我が国の現状から観ても世界の平和はエネルギー問題の解決にある、地球の環境問題にも発電モータが活躍することを期待する、解決するのは総べて人々の想いにある。
【００１２】制動発電は構成の問題であり，集中巻きコイル中心の磁束一本すぎた所に答えがあつた「集中巻きコイルにおける誘導起電力は，もとの磁界に対し制動力、浮上力、推進力、の相対運動作用を生じる」磁力の相対性とは「誘起磁力を含めて磁力の同極は反発するが、異なる極とは離して考えられない双子極作用で、互いに関係する磁束の連関作用である」モータと発電の共通項である加速誘起作用の領域を解明して課題を解決した。
【図面の簡単な説明】
【図１】［Ａ］領域の回路図、［Ｂ］回転ベクトル図、［Ｃ］浮上リニア壁面図、［Ｄ］浮上リニア平面図。
【図２】［Ａ］モータとオルタネータの回路図、［Ｂ］回路図、［Ｃ］ユニバーサルモータの回路図。
【符号の説明】１＝第一領域、磁界極、一次コイル、永久磁石Ｍｇ、磁界単極１−ＮＳ、超電導磁石。２＝第二領域、コイル極、一次、若しくは二次集中巻きコイル、２−Ａａ，Ｂｂ，Ｃｃ，８の字コイル、領域制御のスイチ付きコイル。３＝第三領域、磁界単極の対面磁場、３Ｍｉｃ＝対面同極磁束効果。４＝第四領域、制動誘起作用、Ｏｘ回帰案内作用、制動反発浮上作用。５＝第五領域、反発浮上推進作用、加速誘起作用、Ｏｘ指向案内作用。６＝第六領域、反発浮上作用、Ｎ極とＳ極磁束の運動作用、Ｏｘ指向の案内作用、磁束の連環作用。７＝トランス作用回路。８＝８の字コイル、コイル結線の交差と並行と単極の切り換えスイッチ付き。９＝ブラシと整流子、電機子。１０−Ｓｉ＝スリプリングとスイッチリング、叉はインバータ＆コンバータとの選択。Ｓｉ＝領域制御のスイチリング、叉はスイチング素子との選択。ＸＸ＝センサー回路。ＰＰ＝ＡＣ、叉はパルス回路の選択、チョッパー制御とトランス作用回路。１＆２＝磁界極としての一次コイル，若しくは二次コイルの選択。


【手続補正２】
【補正対象書類名】図面
【補正対象項目名】全図
【補正方法】変更
【補正の内容】
【図１】
2002017079.tif 000001
【図２】
2002017079.tif 000002